(57)【要約】  【課題】  呼接続状態、回線使用状態などを監視し、その状態に応じて自律的に診断を実施することができる無線基地局装置を提供する。  【解決手段】  携帯端末と交換機の間に設けられる無線基地局であって、呼接続状態、回線使用状態の少なくとも一つを監視する状態監視手段と、前記状態監視手段による監視結果に基づいて、自律的に無線基地局状態を診断する状態診断手段とを備えてなる。  【選択図】  図１
2005210552.tif 000002
【特許請求の範囲】
【請求項１】
携帯端末と交換機の間に設けられる無線基地局であって、
呼接続状態、回線使用状態の少なくとも一つを監視する状態監視手段と、
前記状態監視手段による監視結果に基づいて、自律的に無線基地局状態を診断する状態診断手段と
を備えてなる無線基地局装置。
【発明の詳細な説明】
【技術分野】
【０００１】
本発明は、自律自己診断機能を備えた無線基地局装置に関するものである。
【背景技術】
【０００２】
携帯電話（ＰＤＣ，Ｗ−ＣＤＭＡ）端末機はビジネスユーザからパーソナルユーザへ利用範囲が広がり、現在も子供からお年寄りまで幅広い年齢層で使用する人が増加している。それに伴い、多数の無線基地局装置が市場に投入されるため、障害を未然に防ぎ、サービス性に優れた無線基地局装置が必要とされている。
【０００３】
なお、本発明に関連する技術として、監視制御装置と複数の携帯端末等の基地局間における状態変化の発生通知方法と各基地局の状態の取得および各基地局に対する制御を行うシステムが知られている（例えば、特許文献１参照。）。
【特許文献１】特開２００３−１１０５０８号公報
【発明の開示】
【発明が解決しようとする課題】
【０００４】
しかし、従来の無線基地局装置では、上位（交換機側など）から該無線基地局装置に対して診断要求が発行され、異常が検知されるのみであり、無線基地局装置自身において、呼接続状態、回線使用状態などを監視することはできないという問題があった。
【０００５】
本発明は、呼接続状態、回線使用状態などを監視し、その状態に応じて自律的に診断を実施することができる無線基地局装置を提供することを目的としている。
【課題を解決するための手段】
【０００６】
上述した課題を解決するため、本発明は、携帯端末と交換機の間に設けられる無線基地局であって、呼接続状態、回線使用状態の少なくとも一つを監視する状態監視手段と、前記状態監視手段による監視結果に基づいて、自律的に無線基地局状態を診断する状態診断手段とを備えてなる。
【０００７】
なお、実施の形態においては、診断結果に基づき、異常検知時には、異常個所を自動的に修復するようにすることができ、また診断開始、停止の日時、診断結果などを無線基地局内のメモリ部に記憶し、交換機側などからの上位要求で診断情報を取得できる。
【発明の効果】
【０００８】
以上に詳述したように本発明によれば、呼接続状態、回線使用状態などを監視し、その状態に応じて自律的に診断を実施することができる無線基地局装置を提供することができる。
【発明を実施するための最良の形態】
【０００９】
以下、本発明の実施の形態について図面を参照しつつ説明する。
図１は本実施の形態による無線通信システムの全体構成を示すブロック図であり、無線基地局装置内のソフトウェア制御について示す図である。図１に示す無線通信システムは、無線基地局装置１と、複数の無線基地局装置に接続された集線装置２と、集線装置２を介して無線基地局装置１と接続される交換機３と、交換機３を保守するための保守端末４と、無線基地局装置のエリア内にある携帯端末５により構成される。
【００１０】
図２は本発明の無線基地局装置を示すブロック図であり、この無線基地局装置は、携帯端末との間で無線入出力処理を行う無線通信制御部１１と、後述するソフトウェア部と協働し、主制御部を構成する中央処理部１２と、交換機３との間で有線入出力処理を行う有線通信制御部１３と、ソフトウェア部１４と、クロック部１５と、電源部１６とを備える。ソフトウェア部１４は、プログラム部１４１と、ＯＳ部１４２と、メモリ部１４３とを備えている。プログラム部１４１は、本発明の自律自己診断ソフトウェア制御処理を行う部分であり、メモリ部１４３の不揮発領域に診断情報を記憶する。
【００１１】
図３は本発明の無線基地局装置ソフトウェアタスク構成図であり、自律自己診断制御は自己診断タスク主導で制御する。
なお、ソフトウェアタスクは、アプリケーション１４ａ、アプリケーションインタフェイス１４ｂ、マクロ制御タスク１４ｃ、保守監視タスク１４ｄ、自己診断タスク１４ｅ、呼制御タスク１４ｆ、回線制御タスク１４ｇ、ミドルウェア１４ｈ、ＯＳ１４ｉ、ドライバ１４ｊを備えている。
【００１２】
図４は本発明の診断項目表の一例を示す図であり、診断項目２１、所要時間２２、異常検知２３、修復手段２４などが規定されている。診断項目としては、テーブル（呼制御ＩＤ、回線制御ＩＤ、チャネル管理等）、デバイス（ＦＰＧＡ、ＰＬＤ、ＳＷ等）、メモリ（フラッシュＲＯＭ、ＲＡＭ、コンパクトフラッシュ等）がある。また、異常検知方法としては、テーブルについては、テーブルチェック、デバイスについては、ヘルスチェック、メモリについては、バスチェック、ファイルについては、サムチェック、ファイル情報チェックなどがある。修復手段としては、テーブルについては初期化、デバイスについては、デバイスリセットなどが規定されている。
【００１３】
図５は本発明の自律自己診断フロー図であり、以下本発明の実施の形態の動作について説明する。自己診断タスクにおいて、１ｈ毎に自己診断タスク周期タイマが起動され（Ｓ１）、呼制御タスク１４ｆ、回線制御タスク１４ｇで管理している呼制御状態、回線使用状態を取得するため、呼制御状態要求（Ｓ２）、回線制御状態要求（Ｓ３）をメッセージ通知する。呼制御タスク１４ｆ、回線制御タスク１４ｇは現ステータスを取得し自己診断タスクに呼制御状態応答（Ｓ４）、回線制御状態応答（Ｓ５）をメッセージ通知する。呼接続中または回線使用中の場合は呼制御及び回線制御に影響を及ぼすため、処理を終了する（Ｓ６，Ｙ）。
【００１４】
呼未接続及び回線未使用中の場合（Ｓ６，Ｎ）は自律自己診断を開始するため、呼制御タスク、回線制御タスク、デバイスヘルスチェックタスク、その他の必要タスクへ自律自己診断要求（Ｓ７）（Ｓ８）（Ｓ９）をメッセージ通知する。また、自律自己診断中はテーブルアクセス、デバイスリセット等の競合制御を回避するため、マクロ制御タスクへもメッセージ通知し、呼制御系、回線制御系の新規マクロを受け付けないようにする。
【００１５】
自律自己診断要求メッセージを受信した各タスクは各診断処理を自律的に制御し（Ｓ１０）（Ｓ１１）（Ｓ１２）、異常検知した場合（Ｓ１３，Ｙ）（Ｓ１４，Ｙ）（Ｓ１５，Ｙ）、各テーブル初期化、デバイスリセット等を行い（Ｓ１６）（Ｓ１７）（Ｓ１８）、自己診断タスクへ自律自己診断応答メッセージを通知する（Ｓ１９）（Ｓ２０）（Ｓ２１）。尚、異常検知しなかった場合は初期化等は行わない。
【００１６】
自律自己診断応答メッセージを受信した自己診断タスクは診断開始、停止の日時、診断結果、修復情報などの診断情報を不揮発領域（メモリ部１４３）に記憶する（Ｓ２２）。
【００１７】
図６は本発明の診断結果取得フロー図であり、保守端末４からアプリケーション１４ａ、マクロ制御タスク１４ｃを経由して自己診断タスク１４ｅへ自己診断情報取得要求メッセージが通知され（Ｓ３１）（Ｓ３２）（Ｓ３３）、自己診断タスク１４ｅは自律自己診断時にメモリ部１４３に記憶済みの情報を取得し、マクロ制御タスク１４ｃ、アプリケーション１４ａを経由して保守端末４へ情報が渡される（Ｓ３４）（Ｓ３５）（Ｓ３６）。
【００１８】
本実施の形態における無線基地局装置では、自律自己診断条件である呼未接続及び回線未使用中状態は基本的にユーザ数の少ない深夜に１日２〜３回程度実施される想定であり、本制御を実施することで無線基地局装置の異常を検知し正常状態にすることでフェールセーフ的に障害を未然に防止することができる。また、保守端末から必要時に診断情報を取得でき、診断結果、修復情報を遠隔で容易に確認できる。
【００１９】
以上に詳述したように、本発明の実施の形態によれば、異常を検知した場合、異常箇所を自動的に修復することが可能なため、障害を未然に防ぐことができる。また、例えば交換機側などから上位要求で診断開始、停止の日時、診断結果、修復情報などを取得することができ、サービス性に優れた無線基地局装置を提供することができる。
【図面の簡単な説明】
【００２０】
【図１】本発明の実施の形態による無線通信システムの概略図である。
【図２】本発明の実施の形態による無線基地局装置のブロック図である。
【図３】本発明の実施の形態による無線基地局装置のソフトウェアタスク構成図である。
【図４】本発明の実施の形態による診断項目表を示す図である。
【図５】本発明の実施の形態による自律自己診断フローを示す図である。
【図６】本発明の実施の形態による診断結果取得フローを示す図である。
【符号の説明】
【００２１】
１  無線基地局装置、２  集線装置、３  交換機、４  保守端末、５  携帯端末、１１  無線通信制御部、１２  中央処理部、１３  有線通信制御部、１４  ソフトウェア部、１４ｃ  マクロ制御タスク、１４ｄ  保守監視タスク、１４ｅ  自己診断タスク、１４ｆ  呼制御タスク、１４ｇ  回線制御タスク、１４１  プログラム部、１４３  メモリ部。
【図１】
2005210552.tif 000003
【図２】
2005210552.tif 000004
【図３】
2005210552.tif 000005
【図４】
2005210552.tif 000006
【図５】
2005210552.tif 000007
【図６】
2005210552.tif 000008